(57)【要約】    【課題】      ＩＰ網経由で音声通話をしている間に新たにかかってきた発呼に対して適切且つ安価に対応すること。    【解決手段】  オペレータのダイヤル発呼に応じてＩＰ電話制御部２０１でＩＰ網１０６を介して音声通話に必要な通信制御を行い、このＩＰ電話制御部２０１における通信制御中にＰＳＴＮ着信検出部２０６でＰＳＴＮ網１０７を介して新たな着信を検出すると、このＰＳＴＮ網１０７からの新たな着信の検出に応じてＰＳＴＮ着信通知部２０７でその旨をオペレータに通知する。  【選択図】      図２
2005303470.tif 000002
【特許請求の範囲】
【請求項１】
ＩＰ網を介して音声通話に必要な通信制御を行うＩＰ電話制御部と、前記ＩＰ電話制御部による通信制御中における新たな着信を検出する着信検出部と、前記新たな着信の検出に応じてその旨をオペレータに通知する着信通知部と、を具備することを特徴とするＩＰ電話装置。
【請求項２】
前記着信検出部は、前記ＩＰ電話制御部による通信制御中におけるＰＳＴＮ網からの新たな着信を検出し、前記着信通知部は、このＰＳＴＮ網からの新たな着信に応じてその旨をオペレータに通知することを特徴とする請求項１記載のＩＰ電話装置。
【請求項３】
前記着信検出部は、前記ＩＰ電話制御部による通信制御中における前記ＩＰ網からの新たな着信を検出し、前記着信通知部は、このＩＰ網からの新たな着信に応じてその旨をオペレータに通知することを特徴とする請求項１又は請求項２記載のＩＰ電話装置。
【請求項４】
前記着信通知部は、音声通話中の音声に新たな着信があった旨を示す着信音を付加することでその旨をオペレータに通知することを特徴とする請求項１から請求項３のいずれかに記載のＩＰ電話装置。
【請求項５】
ＩＰ電話装置としての機能を有しない電話装置に接続され当該電話装置をＩＰ電話装置として機能させる制御装置であって、前記電話装置からダイヤル発呼を受けるとＩＰ網を介して音声通話に必要な通信制御を行うＩＰ電話制御部と、前記ＩＰ電話制御部による通信制御中における新たな着信を検出する着信検出部と、前記新たな着信の検出に応じてその旨をオペレータに通知する着信通知部と、を具備することを特徴とする制御装置。
【請求項６】
前記着信検出部は、前記ＩＰ電話制御部による通信制御中におけるＰＳＴＮ網からの新たな着信を検出し、前記着信通知部は、このＰＳＴＮ網からの新たな着信に応じてその旨をオペレータに通知することを特徴とする請求項５記載の制御装置。
【請求項７】
前記着信検出部は、前記ＩＰ電話制御部による通信制御中における前記ＩＰ網からの新たな着信を検出し、前記着信通知部は、このＩＰ網からの新たな着信に応じてその旨をオペレータに通知することを特徴とする請求項５又は請求項６記載の制御装置。
【請求項８】
前記着信通知部は、音声通話中の音声に新たな着信があった旨を示す着信音を付加することでその旨をオペレータに通知することを特徴とする請求項５から請求項７のいずれかに記載の制御装置。
【請求項９】
ＩＰ網を介して音声通話に必要な通信制御を行う工程と、前記通信制御中における新たな着信を検出する工程と、前記新たな着信の検出に応じてその旨をオペレータに通知する工程と、を具備することを特徴とする着信通知方法。
【請求項１０】
前記通信制御中におけるＰＳＴＮ網からの新たな着信を検出し、このＰＳＴＮ網からの新たな着信に応じてその旨をオペレータに通知することを特徴とする請求項９記載の着信通知方法。
【請求項１１】
前記通信制御中における前記ＩＰ網からの新たな着信を検出し、このＩＰ網からの新たな着信に応じてその旨をオペレータに通知することを特徴とする請求項９又は請求項１０記載の着信通知方法。
【請求項１２】
音声通話中の音声に新たな着信があった旨を示す着信音を付加することでその旨をオペレータに通知することを特徴とする請求項９から請求項１１のいずれかに記載の着信通知方法。
【発明の詳細な説明】
【技術分野】
【０００１】
本発明は、ＩＰ網を介して通話するＩＰ電話装置、制御装置及び着信通知方法に関する。
【背景技術】
【０００２】
近年、インターネットの普及に伴い、インターネットサービス接続中でありながら、インターネットに接続していない他の加入者からの発呼の把握や、インターネットからの付加サービスの利用を可能とすることが要請されている。
【０００３】
かかる要請に対応する技術として、インターネットサービス接続中の加入者に対して他の加入者が着信しようとする場合に当該他の加入者からの呼に応じてインターネットサーバからインターネットサービス接続中の加入者にインターネットプロトコルを用いて着信通知を行う技術が提案されている（例えば、特許文献１参照）。
【０００４】
一方、ＩＰ網上で音声通話を可能とするＩＰ電話装置が普及していく中、かかるＩＰ電話装置において通話をしている間に、他の電話装置からの発呼に対応することも要請されている。例えば、ＩＰ網経由の音声通話を可能とすると共に、公衆電話交換網（ＰＳＴＮ）経由の通話を可能とする電話装置において、ＩＰ網経由で音声通話をしている間にかかってきたＰＳＴＮ網上の電話装置からの発呼に対応することが要請される。
【特許文献１】特開２００１−２９２２３３号公報（図５）
【発明の開示】
【発明が解決しようとする課題】
【０００５】
かかる要請に対応する技術として、図７に示すように、ＩＰ電話装置にＰＳＴＮ自動応答部及び擬似ビジートーン（ＢＴ）生成部を設け、ＩＰ網経由で音声通話をしている間にＰＳＴＮ経由の発呼を検知すると、擬似的なビジートーン（以下、「擬似ＢＴ」という）を生成して送出することが考えられる。
【０００６】
図７は、上述の要請に対応するためのＩＰ電話装置７００の構成例を示すブロック図である。同図において、制御アダプタ７０１は、接続された電話機７０２をＩＰ電話装置として機能させる機能を有する。すなわち、同図においては、制御アダプタ７０１に通常の電話機７０２が接続された状態でＩＰ電話装置７００が構成される。
【０００７】
同図において、制御アダプタ７０１は、ＩＰ電話制御部７０３、ＬＡＮインターフェース（Ｉ／Ｆ）部７０４、ＰＳＴＮインターフェース（Ｉ／Ｆ）部７０５及び電話機インターフェース（Ｉ／Ｆ）部７０６を備える。ＩＰ電話制御部７０３は、制御アダプタ７０１の全体の動作を制御するものであり、接続された電話機７０２をＩＰ電話装置として機能させるための制御を実行する。ＬＡＮＩ／Ｆ部７０４、ＰＳＴＮＩ／Ｆ部７０５及び電話機Ｉ／Ｆ部７０６は、それぞれ制御アダプタ７０１が接続されるＬＡＮ（ＬＡＮ経由で接続されるＩＰ網）、ＰＳＴＮ網及び電話機７０２との間のインターフェースである。
【０００８】
ＰＳＴＮＩ／Ｆ部７０５にＰＳＴＮ自動応答部７０７が接続されている。また、このＰＳＴＮ自動応答部７０７に擬似ＢＴ生成部７０８が接続されている。ＰＳＴＮ自動応答部７０７は、ＰＳＴＮＩ／Ｆ部７０５に入力された特定の信号（ＩＲ）を自動的に検知して応答処理を実行する。擬似ＢＴ生成部７０８は、所定の場合に擬似ＢＴを生成してＰＳＴＮ自動応答部７０７に渡す。
【０００９】
以上の構成を有し、ＩＰ電話装置７００は、ＩＰ網を介して音声通話中にＰＳＴＮ網経由の発呼をＰＳＴＮ自動応答部７０７が検知すると、擬似ＢＴ生成部７０８が生成した擬似ＢＴを受け取り、発呼してきた電話装置に対して送出する。
【００１０】
図８は、上記構成を有するＩＰ電話装置によりＩＰ網を介して音声通話中にＰＳＴＮ経由の発呼に対応する際の処理を示すシーケンス図である。同図においては、制御アダプタＡに電話機Ａが接続されて構成されるＩＰ電話装置Ａと、制御アダプタＢに電話機Ｂが接続されて構成されるＩＰ電話装置Ｂとの間でＩＰ網を介して音声通話中に、ＰＳＴＮ網経由で電話機Ｃが発呼した場合について示している。また、同図において、ＩＰ電話装置ＡとＩＰ電話装置Ｂとの間においては、ＳＩＰ（Session Initiation Protocol）による呼制御が行われる場合について示している。
【００１１】
電話機Ａからダイヤル発呼があると、制御アダプタＡからＩＰ網経由で発呼先の電話機Ｂに接続された制御アダプタＢに「ＩＮＶＩＴＥ」メッセージが送出される。この「ＩＮＶＩＴＥ」メッセージを受けると、制御アダプタＢから電話機Ｂに対してＩＲ信号が送出される。電話機Ｂでは、このＩＲ信号に応じて呼び出し音が鳴動する。一方、制御アダプタＢからＩＰ網経由で制御アダプタＡに対して「１８０Ｒｉｎｇｉｎｇ」メッセージが送出される。この「１８０Ｒｉｎｇｉｎｇ」メッセージに応じて、制御アダプタＡから電話機Ａに対してリングバックトーン（ＲＢＴ）が送出される。呼び出し音に応じて電話機Ｂでオフフック又は応答があると、制御アダプタＢからＩＰ網経由で制御アダプタＡに対して接続許可を示す「２００ＯＫ」メッセージが送出される。この「２００ＯＫ」メッセージを受けると、制御アダプタＡから制御アダプタＢに対して「ＡＣＫ」メッセージが送出される。制御アダプタＢで「ＡＣＫ」メッセージを受けると、ＩＰ網を介して電話機Ａと電話機Ｂとの間で通話可能状態となる。
【００１２】
ＩＰ網を介して電話機Ａと電話機Ｂとの間で音声通話中に、電話機Ｃから電話機Ｂに対してＰＳＴＮ網経由でダイヤル発呼があると、ＰＳＴＮ網上の交換局から制御アダプタＢに対してＩＲ信号が送出される。このＩＲ信号は、制御アダプタＢのＰＳＴＮ自動応答部７０７で検知され、ＰＳＴＮ自動応答部７０７が応答処理を行う。その後、ＰＳＴＮ自動応答部７０７は、擬似ＢＴ生成部７０８で生成された擬似ＢＴをＰＳＴＮ網経由で電話機Ｃに送出する。擬似ＢＴを聴くと、電話機Ｃのオペレータにおいて電話機Ｂが通話中であることが認識され、切断処理が行われる。このように擬似ＢＴを送出して発呼先の電話機が通話中であることを通知することで、ＩＰ網経由で通話している間にＰＳＴＮ網経由でかかってきた発呼に対応することが考えられる。
【００１３】
しかしながら、上述のように擬似ＢＴを送出することで、ＩＰ網経由で通話している間にＰＳＴＮ網経由でかかってきた発呼に対応する場合には、通話者（上述の例の電話機Ｂのオペレータ）の意思に関わらず応答処理が行われるため、その応答処理に応じて課金が発生するという問題がある。
【００１４】
本発明は、かかる問題点に鑑みて為されたものであり、ＩＰ網経由で音声通話をしている間に新たにかかってきた発呼に対して適切且つ安価に対応することができるＩＰ電話装置、制御装置及び着信通知方法を提供することを目的とする。
【課題を解決するための手段】
【００１５】
本発明は、オペレータのダイヤル発呼に応じてＩＰ網を介して音声通話に必要な通信制御を行い、この通信制御中にＰＳＴＮ網又はＩＰ網を介して新たな着信を検出すると、この新たな着信の検出に応じてその旨をオペレータに通知するようにしたものである。
【発明の効果】
【００１６】
本発明に係るＩＰ電話装置、制御装置及び着信通知方法によれば、ＩＰ網経由で音声通話をしている間に新たにかかってきた発呼に対して適切且つ安価に対応することができる。
【発明を実施するための最良の形態】
【００１７】
本発明の第１の態様に係るＩＰ電話装置は、ＩＰ網を介して音声通話に必要な通信制御を行うＩＰ電話制御部と、前記ＩＰ電話制御部による通信制御中における新たな着信を検出する着信検出部と、前記新たな着信の検出に応じてその旨をオペレータに通知する着信通知部と、を具備する構成を採る。
【００１８】
この構成によれば、ＩＰ電話制御部による通信制御中における新たな着信が検出されると、この新たな着信の検出に応じてその旨がオペレータに通知される。これにより、オペレータは、必要に応じて現在の音声通話を切断し新たな着信に対応することができる。この結果、ＩＰ網を介して音声通話をしている間における新たな発呼に適切に対応することができる。
【００１９】
また、新たな着信に対応するか否かはオペレータの処理に依存し、新たな着信の発呼元である電話装置との間で回線が確立され、本ＩＰ電話装置に課金が発生する事態は生じない。この結果、ＩＰ網経由で音声通話している間における新たな発呼に安価に対応することができる。
【００２０】
本発明の第２の態様は、第１の態様に係るＩＰ電話装置において、前記着信検出部は、前記ＩＰ電話制御部による通信制御中におけるＰＳＴＮ網からの新たな着信を検出し、前記着信通知部は、このＰＳＴＮ網からの新たな着信に応じてその旨をオペレータに通知する構成を採る。
【００２１】
この構成によれば、ＩＰ電話制御部による通信制御中におけるＰＳＴＮ網からの新たな着信が検出されると、このＰＳＴＮ網からの新たな着信の検出に応じてその旨がオペレータに通知される。これにより、オペレータは、必要に応じて現在の音声通話を切断し新たな着信に対応することができる。この結果、ＩＰ網を介して音声通話をしている間におけるＰＳＴＮ網からの新たな発呼に適切に対応することができる。
【００２２】
また、ＰＳＴＮ網からの新たな着信に対応するか否かはオペレータの処理に依存し、新たな着信の発呼元である電話装置との間で回線が確立され、本ＩＰ電話装置に課金が発生する事態は生じない。この結果、ＩＰ網経由で音声通話している間にＰＳＴＮ網からの新たな発呼に安価に対応することができる。
【００２３】
本発明の第３の態様は、第１又は第２の態様に係るＩＰ電話装置において、前記着信検出部は、前記ＩＰ電話制御部による通信制御中における前記ＩＰ網からの新たな着信を検出し、前記着信通知部は、このＩＰ網からの新たな着信に応じてその旨をオペレータに通知する構成を採る。
【００２４】
この構成によれば、ＩＰ電話制御部による通信制御中におけるＩＰ網からの新たな着信が検出されると、このＩＰ網からの新たな着信の検出に応じてその旨がオペレータに通知される。これにより、オペレータは、必要に応じて現在の音声通話を切断し新たな着信に対応することができる。この結果、ＩＰ網を介して音声通話をしている間におけるＩＰ網からの新たな発呼に適切に対応することができる。
【００２５】
また、ＩＰ網からの新たな着信に対応するか否かはオペレータの処理に依存し、新たな着信の発呼元である電話装置との間で回線が確立され、本ＩＰ電話装置に課金が発生する事態は生じない。この結果、ＩＰ網経由で音声通話している間にＩＰ網からの新たな発呼に安価に対応することができる。
【００２６】
本発明の第４の態様は、第１から第３のいずれかの態様に係るＩＰ電話装置において、前記着信通知部は、音声通話中の音声に新たな着信があった旨を示す着信音を付加することでその旨をオペレータに通知する構成を採る。
【００２７】
この構成によれば、音声通話中の音声に新たな着信があった旨を示す着信音を付加することでその旨がオペレータに通知される。このため、本ＩＰ電話装置のオペレータは、現在通話中の相手と通話をしながら新たな着信があった旨を認識することができる。
【００２８】
本発明の第５の態様に係る制御装置は、ＩＰ電話装置としての機能を有しない電話装置に接続され当該電話装置をＩＰ電話装置として機能させる制御装置であって、前記電話装置からダイヤル発呼を受けるとＩＰ網を介して音声通話に必要な通信制御を行うＩＰ電話制御部と、前記ＩＰ電話制御部による通信制御中における新たな着信を検出する着信検出部と、前記新たな着信の検出に応じてその旨をオペレータに通知する着信通知部と、を具備する構成を採る。
【００２９】
この構成によれば、ＩＰ電話制御部による通信制御中における新たな着信が検出されると、この新たな着信の検出に応じてその旨がオペレータに通知される。これにより、オペレータは、必要に応じて現在の音声通話を切断し新たな着信に対応することができる。この結果、ＩＰ網を介して音声通話をしている間における新たな発呼に適切に対応することができる。
【００３０】
また、新たな着信に対応するか否かはオペレータの処理に依存し、新たな着信の発呼元である電話装置との間で回線が確立され、本ＩＰ電話装置に課金が発生する事態は生じない。この結果、ＩＰ網経由で音声通話している間における新たな発呼に安価に対応することができる。
【００３１】
本発明の第６の態様は、第５の態様に係る制御装置において、前記着信検出部は、前記ＩＰ電話制御部による通信制御中におけるＰＳＴＮ網からの新たな着信を検出し、前記着信通知部は、このＰＳＴＮ網からの新たな着信に応じてその旨をオペレータに通知する構成を採る。
【００３２】
この構成によれば、ＩＰ電話制御部による通信制御中におけるＰＳＴＮ網からの新たな着信が検出されると、このＰＳＴＮ網からの新たな着信の検出に応じてその旨がオペレータに通知される。これにより、オペレータは、必要に応じて現在の音声通話を切断し新たな着信に対応することができる。この結果、ＩＰ網を介して音声通話をしている間におけるＰＳＴＮ網からの新たな発呼に適切に対応することができる。
【００３３】
また、ＰＳＴＮ網からの新たな着信に対応するか否かはオペレータの処理に依存し、新たな着信の発呼元である電話装置との間で回線が確立され、本ＩＰ電話装置に課金が発生する事態は生じない。この結果、ＩＰ網経由で音声通話している間にＰＳＴＮ網からの新たな発呼に安価に対応することができる。
【００３４】
本発明の第７の態様は、第５又は第６の態様に係る制御装置において、前記着信検出部は、前記ＩＰ電話制御部による通信制御中における前記ＩＰ網からの新たな着信を検出し、前記着信通知部は、このＩＰ網からの新たな着信に応じてその旨をオペレータに通知する構成を採る。
【００３５】
この構成によれば、ＩＰ電話制御部による通信制御中におけるＩＰ網からの新たな着信が検出されると、このＩＰ網からの新たな着信の検出に応じてその旨がオペレータに通知される。これにより、オペレータは、必要に応じて現在の音声通話を切断し新たな着信に対応することができる。この結果、ＩＰ網を介して音声通話をしている間におけるＩＰ網からの新たな発呼に適切に対応することができる。
【００３６】
また、ＩＰ網からの新たな着信に対応するか否かはオペレータの処理に依存し、新たな着信の発呼元である電話装置との間で回線が確立され、本ＩＰ電話装置に課金が発生する事態は生じない。この結果、ＩＰ網経由で音声通話している間にＩＰ網からの新たな発呼に安価に対応することができる。
【００３７】
本発明の第８の態様は、第５から第７のいずれかの態様に係る制御装置において、前記着信通知部は、音声通話中の音声に新たな着信があった旨を示す着信音を付加することでその旨をオペレータに通知する構成を採る。
【００３８】
この構成によれば、音声通話中の音声に新たな着信があった旨を示す着信音を付加することでその旨がオペレータに通知される。このため、本ＩＰ電話装置のオペレータは、現在通話中の相手と通話をしながら新たな着信があった旨を認識することができる。
【００３９】
本発明の第９の態様に係る着信通知方法は、ＩＰ網を介して音声通話に必要な通信制御を行う工程と、前記通信制御中における新たな着信を検出する工程と、前記新たな着信の検出に応じてその旨をオペレータに通知する工程と、を具備するものである。
【００４０】
本発明の第１０の態様は、第９の態様に係る着信通知方法において、前記通信制御中におけるＰＳＴＮ網からの新たな着信を検出し、このＰＳＴＮ網からの新たな着信に応じてその旨をオペレータに通知するものである。
【００４１】
本発明の第１１の態様は、第９又は第１０の態様に係る着信通知方法において、前記通信制御中における前記ＩＰ網からの新たな着信を検出し、このＩＰ網からの新たな着信に応じてその旨をオペレータに通知するものである。
【００４２】
本発明の第１２の態様は、第９から第１１のいずれかの態様に係る着信通知方法において、音声通話中の音声に新たな着信があった旨を示す着信音を付加することでその旨をオペレータに通知するものである。
【００４３】
以下、本発明の実施の形態について図面を参照して詳細に説明する。
【００４４】
（実施の形態１）
図１は、本発明の実施の形態１に係るＩＰ電話装置が適用されるネットワークの構成を示す図である。同図に示すように、実施の形態１に係るＩＰ電話装置は、後述する制御アダプタに通常の電話機が接続されて構成されるものとする。以下の説明において、通常の電話機とは、ＩＰ網を介して音声通話をする機能を有しない電話機のことをいう。
【００４５】
なお、以下の説明におけるＩＰ電話装置は、総務省が定義し通信事業者が運用するＩＰ電話や、ローカルなネットワーク又は自営網でのＴＣＰ／ＩＰ等のコンピュータ通信プロトコルによるネットワークで実現されるものも含むものとする。
【００４６】
実施の形態１に係るＩＰ電話装置Ａ１００は、制御アダプタＡ１０１に通常の電話機Ａ１０２が接続されて構成される。同様に、ＩＰ電話装置Ｂ１０３は、制御アダプタＢ１０４に通常の電話機Ｂ１０５が接続されて構成される。制御アダプタＡ１０１は、接続される電話機Ａ１０２をＩＰ電話装置として機能させる機能を有する。制御アダプタＢについても同様である。
【００４７】
制御アダプタＡ１０１及び制御アダプタＢ１０３は、ＩＰ網１０６に接続可能な構成を有する。電話機Ａ１０２及び電話機Ｂ１０５は、それぞれ制御アダプタＡ１０１及び制御アダプタＢ１０４を介してＩＰ網１０６経由で音声通話が可能である。また、制御アダプタＡ１０１及び制御アダプタＢ１０４は、ＰＳＴＮ網１０７に接続可能な構成を有する。電話機Ａ１０２及び電話機Ｂ１０５は、それぞれ制御アダプタＡ１０１及び制御アダプタＢ１０４を介して、ＰＳＴＮ網１０７経由で通話が可能である。図１においては、制御アダプタＡ１０１がＩＰ網１０６にのみ接続され、制御アダプタＢ１０４がＩＰ網１０６及びＰＳＴＮ網１０７に接続された場合について示している。電話機Ｃ１０８は、ＰＳＴＮ網１０７に接続された通常の電話機である。
【００４８】
図２は、実施の形態１に係るＩＰ電話装置Ａ１００の構成を示すブロック図である。ＩＰ電話装置Ｂ１０３も同一の構成を有する。なお、図１においては、ＩＰ電話装置Ａ１００はＰＳＴＮ網１０７に接続されていないが、便宜上、図２においては関連する構成を説明する。
【００４９】
同図に示すＩＰ電話装置Ａ１００において、制御アダプタＡ１０１は、ＩＰ電話制御部２０１、ＬＡＮインターフェース（Ｉ／Ｆ）部２０２、ＰＳＴＮインターフェース（Ｉ／Ｆ）部２０３及び電話機インターフェース（Ｉ／Ｆ）部２０４を備える。ＩＰ電話制御部２０１は、制御アダプタＡ１０１の全体の動作を制御するものであり、接続された電話機Ａ１０２をＩＰ電話装置として機能させるための制御を実行する。例えば、ＩＰ電話制御部２０１は、ＳＩＰに代表される呼制御プロトコルを実行する。ＬＡＮＩ／Ｆ部２０２、ＰＳＴＮＩ／Ｆ部２０３及び電話機Ｉ／Ｆ部２０４は、それぞれ制御アダプタＡ１０１が接続されるＬＡＮ（ＬＡＮ経由で接続されるＩＰ網１０６）、ＰＳＴＮ網１０７及び電話機Ａ１０２との間のインターフェースである。
【００５０】
ＰＳＴＮＩ／Ｆ部２０３にＰＳＴＮ発着信制御部２０５及びＰＳＴＮ着信検出部２０６が接続されている。また、ＰＳＴＮ着信検出部２０６にＰＳＴＮ着信通知部２０７が接続されている。ＰＳＴＮ発着信制御部２０５は、ＰＳＴＮ網１０７を介して通信先との間の発信及び着信を制御する。ＰＳＴＮ着信検出部２０６は、ＰＳＴＮ網１０７を介して音声通話中にＰＳＴＮＩ／Ｆ部２０３に入力された特定の信号を検知することで、ＰＳＴＮ網１０７経由の着信を検出する。例えば、ＰＳＴＮ着信検出部２０６は、ＰＳＴＮ網１０７上の交換局から送出されるＩＲ信号を検知する。ＰＳＴＮ着信通知部２０７は、ＩＰ網１０６を介して音声通話中にＰＳＴＮ網１０７経由の着信があった場合にその旨を電話機Ａ１０２に通知する。例えば、ＰＳＴＮ着信通知部２０７は、通話中の電話機Ａ１０２に着信した旨を示す着信音を送出することでＰＳＴＮ網１０７経由の着信があった旨を通知する。なお、制御アダプタＡ１０１にＬＣＤ等の表示部を設け、ＰＳＴＮ網１０７経由の着信があった旨を表示したり、制御アダプタＡ１０１にＬＥＤ等の発光素子を設け、その発光素子を発光させることでその旨を報知したりするようにしてもよい。
【００５１】
なお、ここでは、制御アダプタＡ１０１に電話機Ａ１０２を接続してＩＰ電話装置Ａ１００が構成される場合について説明しているが、これに限定されない。制御アダプタＡ１０１に電話機Ａ１０２を接続せずに、制御アダプタＡ１０１の機能を有する制御ボードを電話機Ａ１０２に搭載することでＩＰ電話装置Ａ１００を実現するようにしてもよい。
【００５２】
図３は、上記構成を有するＩＰ電話装置によりＩＰ網１０６を介して音声通話中にＰＳＴＮ網１０７経由の発呼に対応する際の処理を示すシーケンス図である。同図においては、ＩＰ電話装置Ａ１００と、ＩＰ電話装置Ｂ１０３との間でＩＰ網１０６を介して音声通話中に、ＰＳＴＮ網１０７経由で電話機Ｃ１０８が発呼した場合について示している。また、同図において、ＩＰ電話装置Ａ１００とＩＰ電話装置Ｂ１０３との間においては、ＳＩＰによる呼制御が行われる場合について示している。
【００５３】
電話機Ａ１０２からダイヤル発呼があると、制御アダプタＡ１０１からＩＰ網１０６経由で制御アダプタＢ１０４に「ＩＮＶＩＴＥ」メッセージが送出される。この「ＩＮＶＩＴＥ」メッセージを受けると、制御アダプタＢ１０４から電話機Ｂ１０５に対してＩＲ信号が送出される。電話機Ｂ１０５では、このＩＲ信号に応じて呼び出し音が鳴動する。一方、制御アダプタＢ１０４からＩＰ網１０６経由で制御アダプタＡ１０１に対して「１８０Ｒｉｎｇｉｎｇ」メッセージが送出される。この「１８０Ｒｉｎｇｉｎｇ」メッセージに応じて、制御アダプタＡ１０１から電話機Ａ１０２に対してリングバックトーン（ＲＢＴ）が送出される。呼び出し音に応じて電話機Ｂ１０５でオフフック又は応答があると、制御アダプタＢ１０４からＩＰ網１０６経由で制御アダプタＡ１０１に対して接続許可を示す「２００ＯＫ」メッセージが送出される。この「２００ＯＫ」メッセージを受けると、制御アダプタＡ１０１から制御アダプタＢ１０４に対して「ＡＣＫ」メッセージが送出される。制御アダプタＢ１０４で「ＡＣＫ」メッセージを受けると、ＩＰ網１０６を介して電話機Ａ１０２と電話機Ｂ１０５との間で通話可能状態となる。
【００５４】
ＩＰ網１０６を介して電話機Ａ１０２と電話機Ｂ１０５との間で音声通話中に、電話機Ｃ１０８から電話機Ｂ１０５に対してＰＳＴＮ網１０７経由でダイヤル発呼があると、ＰＳＴＮ網１０７上の交換局から制御アダプタＢ１０４に対してＩＲ信号が送出される。制御アダプタＢ１０４のＰＳＴＮ着信検出部２０６は、このＩＲ信号を検知することで、ＰＳＴＮ網１０７経由の着信を検出する。ＰＳＴＮ着信検出部２０６がＰＳＴＮ網１０７経由の着信を検出すると、ＰＳＴＮ着信通知部２０７は、電話機Ａ１０２に着信した旨を示す着信音を送出することでＰＳＴＮ網１０７経由の着信があった旨を通知する。具体的には、通話中の音声に着信音を付加して送出することでその旨を通知する。この着信音を把握することで、電話機Ｂ１０５のオペレータは、ＰＳＴＮ網１０７経由で発呼があった旨を認識する。このように音声通話中の音声に新たな着信があった旨を示す着信音が付加されるため、オペレータは、現在通話中の相手と通話をしながら新たな着信があった旨を認識することができる。
【００５５】
電話機Ｃ１０８にはＰＳＴＮ網１０７の交換局からリングバックトーン（ＲＢＴ）が送出される。電話機Ｃ１０８のオペレータが自ら受話器等を置くなどして切断処理を行わない限り、このＲＢＴが継続して送出される。このＲＢＴが送出されている間に、制御アダプタＢ１０４からの着信音を認識した電話機Ｂ１０５のオペレータが電話機Ａ１０２との通話を切断した場合には、ＰＳＴＮ網１０７を介して電話機Ｂ１０５と電話機Ｃ１０８との間で通話が可能となる。すなわち、電話機Ｃ１０８のオペレータは、電話機Ｂ１０５の通話終了を待機することで電話機Ｂ１０５のオペレータと通話することができる。
【００５６】
このように実施の形態１に係るＩＰ電話装置によれば、ＩＰ網１０６経由で音声通話をしている間にＰＳＴＮ網１０７経由の着信があった場合には、その旨をＩＰ電話装置のオペレータに通知する。これにより、オペレータは、必要に応じて現在の音声通話を切断し新たにかかってきた着信に対応することができるようになる。この結果、ＩＰ網１０６経由で音声通話している間にＰＳＴＮ網１０７経由でかかってきた発呼に適切に対応することができる。
【００５７】
また、ＰＳＴＮ網１０７からＩＲ信号を受信した場合であっても、制御アダプタＢ１０４から電話機Ｃ１０８に対して何ら処理は行わない。このため、電話機Ｂ１０５と電話機Ｃ１０８との間の回線は確立されず、電話機Ｂ１０５に対して課金が発生することはない。この結果、ＩＰ網１０６経由で音声通話している間にＰＳＴＮ網１０７経由でかかってきた発呼に安価に対応することができる。
【００５８】
（実施の形態２）
実施の形態１に係るＩＰ電話装置がＩＰ網経由で音声通話をしている間にＰＳＴＮ網経由でかかってきた発呼に対応するのに対し、実施の形態２に係るＩＰ電話装置は、ＩＰ網経由で音声通話している間にさらにＩＰ網経由でかかってきた発呼に対応する点で相違する。
【００５９】
図４は、本発明の実施の形態２に係るＩＰ電話装置が適用されるネットワークの構成を示す図である。実施の形態１に係るＩＰ電話装置と同様に、実施の形態２に係るＩＰ電話装置も、制御アダプタに通常の電話機が接続されて構成されるものとする。なお、図４において、図１と同様の構成については同一の符号を付し、その説明を省略する。
【００６０】
図４に示すネットワーク構成図においては、新たなＩＰ電話装置Ｃ４００を構成する制御アダプタＣ４０１がＩＰ網１０６に接続されている点で図１に示すネットワーク構成図と相違する。この制御アダプタＣ４０１に電話機４０２が接続されてＩＰ電話装置Ｃ４００が構成される。電話機Ａ１０２、電話機Ｂ１０５及び電話機Ｃ４０２は、それぞれ制御アダプタＡ１０１、制御アダプタＢ１０４及び制御アダプタＣ４０１を介して、ＩＰ網１０６経由で音声通話が可能である。なお、図４に示すネットワーク構成図においては、制御アダプタＢ１０４にＰＳＴＮ網１０７は接続されていない。
【００６１】
図５は、実施の形態２に係るＩＰ電話装置Ａ１００の構成を示すブロック図である。ＩＰ電話装置Ｂ１０３、ＩＰ電話装置Ｃ４００も同一の構成を有する。なお、図５において、図２と同様の構成については同一の符号を付し、その説明を省略する。
【００６２】
図５に示すＩＰ電話装置Ａ１００の制御アダプタＡ１０１は、ＰＳＴＮインターフェース（Ｉ／Ｆ）部２０３、ＰＳＴＮ発着信制御部２０５、ＰＳＴＮ着信検出部２０６及びＰＳＴＮ着信通知部２０７を有しない点、並びに、話中着信検出部５０１及び話中着信通知部５０２を有する点で図２に示す制御アダプタＡ１０１と相違する。
【００６３】
話中着信検出部５０１は、ＩＰ網１０６を介して音声通話中にＬＡＮＩ／Ｆ部２０２を介してＩＰ電話制御部２０１に入力された特定の信号を検知することで、通話中のＩＰ網１０６経由の着信を検出する。例えば、話中着信検出部５０１は、発呼元の電話機に接続される制御アダプタから送出される「ＩＮＶＩＴＥ」メッセージを検知する。話中着信通知部５０２は、ＩＰ網１０６を介して音声通話中にさらにＩＰ網１０６経由の着信があった場合にその旨を電話機Ａ１０２に通知する。着信があった旨を通知する手法については図２に示すＰＳＴＮ着信通知部２０７と同様である。
【００６４】
図６は、上記構成を有するＩＰ電話装置によりＩＰ網１０６を介して通話中にさらにＩＰ網１０６経由の発呼に対応する際の処理を示すシーケンス図である。同図においては、ＩＰ電話装置Ａ１００と、ＩＰ電話装置Ｂ１０３との間でＩＰ網１０６を介して音声通話中に、ＩＰ網１０６経由でＩＰ電話装置Ｃ４００が発呼した場合について示している。また、同図において、ＩＰ電話装置Ａ１００とＩＰ電話装置Ｂ１０３との間、並びにＩＰ電話装置Ｂ１０３とＩＰ電話装置Ｃ４００との間においては、ＳＩＰによる呼制御が行われる場合について示している。
【００６５】
電話機Ａ１０２からダイヤル発呼があると、制御アダプタＡ１０１からＩＰ網１０６経由で制御アダプタＢ１０４に「ＩＮＶＩＴＥ」メッセージが送出される。この「ＩＮＶＩＴＥ」メッセージを受けると、制御アダプタＢ１０４から電話機Ｂ１０５に対してＩＲ信号が送出される。電話機Ｂ１０５では、このＩＲ信号に応じて呼び出し音が鳴動する。一方、制御アダプタＢ１０４からＩＰ網１０６経由で制御アダプタＡ１０１に対して「１８０Ｒｉｎｇｉｎｇ」メッセージが送出される。この「１８０Ｒｉｎｇｉｎｇ」メッセージに応じて、制御アダプタＡ１０１から電話機Ａ１０２に対してリングバックトーン（ＲＢＴ）が送出される。呼び出し音に応じて電話機Ｂ１０５でオフフック又は応答があると、制御アダプタＢ１０４からＩＰ網１０６経由で制御アダプタＡ１０１に対して接続許可を示す「２００ＯＫ」メッセージが送出される。この「２００ＯＫ」メッセージを受けると、制御アダプタＡ１０１から制御アダプタＢ１０４に対して「ＡＣＫ」メッセージが送出される。制御アダプタＢ１０４で「ＡＣＫ」メッセージを受けると、ＩＰ網１０６を介して電話機Ａ１０２と電話機Ｂ１０５との間で通話可能状態となる。
【００６６】
ＩＰ網１０６を介して電話機Ａ１０２と電話機Ｂ１０５との間で通話中に、電話機Ｃ４０２からダイヤル発呼があると、制御アダプタＣ４０１からＩＰ網１０６経由で制御アダプタＢ１０４に「ＩＮＶＩＴＥ」メッセージが送出される。この「ＩＮＶＩＴＥ」メッセージを受けると、制御アダプタＢ１０４から電話機Ｂ１０５に対してＩＲ信号（図中省略）が送出される。電話機Ｂ１０５では、このＩＲ信号に応じて呼び出し音（図中省略）が鳴動する。一方、制御アダプタＢ１０４からＩＰ網１０６経由（図中省略）で制御アダプタＣ４０１に対して「１８０Ｒｉｎｇｉｎｇ」メッセージが送出される。この「１８０Ｒｉｎｇｉｎｇ」メッセージに応じて、制御アダプタＣ４０１から電話機Ｃ４０２に対してリングバックトーン（ＲＢＴ）が送出される。
【００６７】
制御アダプタＢ１０４の話中着信検出部５０１は、「ＩＮＶＩＴＥ」メッセージを検知することで、ＩＰ網１０６経由の着信を検出する。話中着信検出部５０１がＩＰ網１０６経由の着信を検出すると、話中着信通知部５０２は、電話機Ａ１０２に着信した旨を示す着信音を送出することでＩＰ網１０６経由の着信があった旨を通知する。具体的には、通話中の音声に着信音を付加して送出することでその旨を通知する。この着信音を把握することで、電話機Ｂ１０５のオペレータは、ＩＰ網１０６経由で発呼があった旨を認識する。
【００６８】
電話機Ｃ４０２には制御アダプタＣ４０１からリングバックトーン（ＲＢＴ）が送出される。電話機Ｃ４０２のオペレータが自ら受話器等を置くなどして切断処理を行わない限り、このＲＢＴが継続して送出される。このＲＢＴが送出されている間に、制御アダプタＢ１０４からの着信音を認識した電話機Ｂ１０５のオペレータが電話機Ａ１０２との通話を切断した場合には、ＩＰ網１０６を介して電話機Ｂ１０５と電話機Ｃ４０２との間で通話が可能となる。すなわち、電話機Ｃ４０２のオペレータは、電話機Ｂ１０５の通話終了を待機することで電話機Ｂ１０５のオペレータと通話することができる。
【００６９】
このように実施の形態２に係るＩＰ電話装置によれば、ＩＰ網１０６経由で音声通話をしている間にＩＰ網１０６経由の着信があった場合には、その旨をＩＰ電話装置のオペレータに通知する。これにより、オペレータは、必要に応じて現在の音声通話を切断し新たにかかってきた着信に対応することができるようになる。この結果、ＩＰ網１０６経由で音声通話している間にＩＰ網１０６経由でかかってきた発呼に適切に対応することができる。
【００７０】
また、制御アダプタＣ４０１から「ＩＮＶＩＴＥ」メッセージを受信した場合には、制御アダプタＢ１０４から「１８０Ｒｉｎｇｉｎｇ」メッセージが送出されるのみである。このため、電話機Ｂ１０５と電話機Ｃ４０２との間の回線は確立されず、原則として電話機Ｂ１０５に対して課金が発生することはない。この結果、ＩＰ網１０６経由で音声通話している間にＩＰ網１０６経由でかかってきた発呼に安価に対応することができる。
【００７１】
なお、上記の説明においては、本発明に係るＩＰ電話装置がＶｏＩＰプロトコルとしてＳＩＰを実行する場合のみ説明しているが、これに限定されない。すなわち、ＶｏＩＰプロトコルとしてＨ．３２３やＭＧＣＰ（Media Gateway Control Protocol）を実行するＩＰ電話装置に対しても適用することできる。
【００７２】
また、上記の説明において、特に図３及び図６に示すシーケンスにおいては、ＩＰ電話装置間で直接ＳＩＰを実行する場合について示しているが、これに限定されない。かかるＳＩＰを実行する際に、ＩＰ電話装置の間にＳＩＰサーバを介在させ、このＳＩＰサーバを介してＳＩＰを実行するようにしてもよい。
【００７３】
さらに、上記の説明においては、実施の形態１及び実施の形態２に係るＩＰ電話装置を独立した装置として説明しているが、これに限定されない。すなわち、実施の形態１及び実施の形態２に係るＩＰ電話装置の双方の機能を有し、ＩＰ網１０６を介して音声通話中にＰＳＴＮ網１０７及びＩＰ網１０６からの新たな着信に対応することは実施の形態としいて好ましい。
【産業上の利用可能性】
【００７４】
本発明に係るＩＰ電話装置、制御装置及び着信通知方法によれば、ＩＰ網経由で通話している間に新たにかかってきた発呼に対して適切且つ安価に対応することができ、オペレータの利便性に優れたＩＰ電話装置等を提供できる点で有用である。
【図面の簡単な説明】
【００７５】
【図１】本発明の実施の形態１に係るＩＰ電話装置が適用されるネットワークの構成を示す図
【図２】実施の形態１に係るＩＰ電話装置の構成を示すブロック図
【図３】実施の形態１に係るＩＰ電話装置によりＩＰ網を介して音声通話中にＰＳＴＮ経由の発呼に対応する際の処理を示すシーケンス図
【図４】本発明の実施の形態２に係るＩＰ電話装置が適用されるネットワークの構成を示す図
【図５】実施の形態２に係るＩＰ電話装置の構成を示すブロック図
【図６】実施の形態２に係るＩＰ電話装置によりＩＰ網を介して音声通話中にさらにＩＰ網経由の発呼に対応する際の処理を示すシーケンス図
【図７】近年の要請に対応するためのＩＰ電話装置の構成例を示すブロック図
【図８】図７に示すＩＰ電話装置によりＩＰ網を介して通話中にＰＳＴＮ経由の発呼に対応する際の処理を示すシーケンス図
【符号の説明】
【００７６】
１００  ＩＰ電話装置Ａ
１０１  制御アダプタＡ
１０２  電話機Ａ
１０３  ＩＰ電話装置Ｂ
１０４  制御アダプタＢ
１０５  電話機Ｂ
１０６  ＩＰ網
１０７  ＰＳＴＮ網
１０８  電話機Ｃ
２０１  ＩＰ電話制御部
２０５  ＰＳＴＮ発着信制御部
２０６  ＰＳＴＮ着信検出部
２０７  ＰＳＴＮ着信通知部
４００  ＩＰ電話装置
４０１  制御アダプタＣ
４０２  電話機Ｃ
５０１  話中着信検出部
５０２  話中着信通知部
【図１】
2005303470.tif 000003
【図２】
2005303470.tif 000004
【図３】
2005303470.tif 000005
【図４】
2005303470.tif 000006
【図５】
2005303470.tif 000007
【図６】
2005303470.tif 000008
【図７】
2005303470.tif 000009
【図８】
2005303470.tif 000010